【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
次式（Ｉ）：
【化１】
1998195069.tif 000001
〔式中、
ｎは２ないし１４の数を表し、
基Ｒ1は互いに独立して水素原子、炭素原子数１ないし８のアルキル基、炭素原子数１ないし８のヒドロキシアルキル基、−ＣＨ2ＣＮ、炭素原子数３ないし６のアルケニル基、炭素原子数３ないし６のアルキニル基、非置換またはフェニル基上で１、２または３個の炭素原子数１ないし４のアルキル基により置換された炭素原子数７ないし９のフェニルアルキル基；炭素原子数１ないし８のアシル基、（炭素原子数１ないし８のアルコキシ）カルボニル基または（炭素原子数５ないし１２のシクロアルコキシ）カルボニル基を表し、
Ｒ2は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基または１，４−ピペラジンジイル基、−Ｏ−もしくは＞Ｎ−Ｘ1（式中、Ｘ1は炭素原子数１ないし１２のアシル基または（炭素原子数１ないし１２のアルコキシ）カルボニル基を表すか、または下記Ｒ4の定義のうち水素原子を除く意味の一つを有する）により中断された炭素原子数４ないし１２のアルキレン基を表すか；またはＲ2は次式（ａ）、（ｂ）または（ｃ）：
【化２】
1998195069.tif 000002
（式中、ｍは２または３を表し、
Ｘ2は炭素原子数１ないし１８のアルキル基、非置換または１、２または３個の炭素原子数１ないし４のアルキル基により置換された炭素原子数５ないし１２のシクロアルキル基；非置換または１、２または３個の炭素原子数１ないし４のアルキル基または炭素原子数１ないし４のアルコキシ基により置換されたフェニル基；非置換またはフェニル基上で１、２または３個の炭素原子数１ないし４のアルキル基により置換された炭素原子数７ないし９のフェニルアルキル基を表し、そして
基Ｘ3は互いに独立して炭素原子数２ないし１２のアルキレン基を表す）で表される基を表し、
基Ａは互いに独立して炭素原子数１ないし８のアシル基、（炭素原子数１ないし８のアルコキシ）カルボニル基、（炭素原子数５ないし１２のシクロアルコキシ）カルボニル基、（炭素原子数１ないし８のアルキル）アミノカルボニル基、（炭素原子数５ないし１２のシクロアルキル）アミノカルボニル基、（炭素原子数７ないし９のフェニルアルキル）アミノカルボニル基、炭素原子数１ないし８のアルキル基、非置換または１、２または３個の炭素原子数１ないし４のアルキル基により置換された炭素原子数５ないし１２のシクロアルキル基；炭素原子数３ないし６のアルケニル基、非置換またはフェニル基上で１、２または３個の炭素原子数１ないし４のアルキル基により置換された炭素原子数７ないし９のフェニルアルキル基；または−ＣＨ2ＣＮを表し、
ＢはＯＲ3、−Ｎ（Ｒ4）（Ｒ5）または次式（ＩＩ）：
【化３】
1998195069.tif 000003
で表される基を表し、
Ｒ3、Ｒ4およびＲ5は同じかまたは異なっており、水素原子、炭素原子数１ないし１８のアルキル基、非置換または１、２または３個の炭素原子数１ないし４のアルキル基により置換された炭素原子数５ないし１２のシクロアルキル基；炭素原子数３ないし１８のアルケニル基、非置換または１、２または３個の炭素原子数１ないし４のアルキル基または炭素原子数１ないし４のアルコキシ基により置換されたフェニル基；非置換またはフェニル基上で１、２または３個の炭素原子数１ないし４のアルキル基により置換された炭素原子数７ないし９のフェニルアルキル基；テトラヒドロフルフリル基または２、３または４位で−ＯＨ、炭素原子数１ないし８のアルコキシ基、ジ（炭素原子数１ないし４のアルキル）アミノ基または次式（ＩＩＩ）：
【化４】
1998195069.tif 000004
（式中、Ｙは−Ｏ−、−ＣＨ2−、−ＣＨ2ＣＨ2−または＞Ｎ−ＣＨ3を表す）で表される基により置換された炭素原子数２ないし４のアルキル基を表すか、または−Ｎ（Ｒ4）（Ｒ5）は式（ＩＩＩ）で表される基をさらに表し、
Ｘは−Ｏ−または＞Ｎ−Ｒ6を表し、
Ｒ6は水素原子、炭素原子数１ないし１８のアルキル基、炭素原子数３ないし１８のアルケニル基、非置換または１、２または３個の炭素原子数１ないし４のアルキル基により置換された炭素原子数５ないし１２のシクロアルキル基；非置換またはフェニル基上で１、２または３個の炭素原子数１ないし４のアルキル基により置換された炭素原子数７ないし９のフェニルアルキル基；テトラヒドロフルフリル基、次式（ＩＶ）：
【化５】
1998195069.tif 000005
で表される基または２、３または４位で−ＯＨ、炭素原子数１ないし８のアルコキシ基、ジ（炭素原子数１ないし４のアルキル）アミノ基または式（ＩＩＩ）で表される基により置換された炭素原子数２ないし４のアルキル基を表し、そして
ＲはＲ6に対して与えられた意味の一つを有するが、
ただし、式（Ｉ）で表される個々の反復単位において、基Ｂ、Ｒ、Ｒ1およびＲ2の各々は同じかまたは異なる意味を有する〕で表される生成物。
【請求項２】
多分散性
【数１】
1998195069.tif 000006
が１であり、そしてｎが２、３、４、５、６、７、８、９、１０、１１、１２、１３または１４を表す請求項１記載の式（Ｉ）で表される生成物。
【請求項３】
変数ｎによってのみ異なる請求項１記載の式（Ｉ）で表される少なくとも３種の異なる生成物を含有する混合物であって、該混合物は１．１ないし１．７の多分散性
【数２】
1998195069.tif 000007
を有する前記混合物。
【請求項４】
１）次式（Ａ）：
【化６】
1998195069.tif 000008
で表される化合物を次式（Ｂ）：
【化７】
1998195069.tif 000009
で表される化合物と化学量論的比率で反応させて、次式（Ｃ）：
【化８】
1998195069.tif 000010
で表される化合物を得、
２）式（Ｃ）で表される化合物を式（Ｂ）で表される化合物とモル比１：２ないし１：３で反応させて、次式（Ｄ）：
【化９】
1998195069.tif 000011
（式中、ｎは２、３、４、５、６、７、８、９、１０、１１、１２、１３または１４を表す）で表される少なくとも３種の異なる化合物の混合物を得、
３）２）で得られた混合物を次式（Ｅ）または（Ｆ）：
Ａ’−Ｘ’          （Ｅ）
Ａ”−ＮＣＯ        （Ｆ）
（式中、Ｘ’は脱離基を表し、
Ａ’は炭素原子数１ないし８のアシル基、（炭素原子数１ないし８のアルコキシ）カルボニル基、（炭素原子数５ないし１２のシクロアルコキシ）カルボニル基、炭素原子数１ないし８のアルキル基、非置換または１、２または３個の炭素原子数１ないし４のアルキル基により置換された炭素原子数５ないし１２のシクロアルキル基、炭素原子数３ないし６のアルケニル基、非置換またはフェニル基上で１、２または３個の炭素原子数１ないし４のアルキル基により置換された炭素原子数７ないし９のフェニルアルキル基；または−ＣＨ2ＣＮを表し、そして
Ａ”は炭素原子数１ないし８のアルキル基、炭素原子数５ないし１２のシクロアルキル基または炭素原子数７ないし９のフェニルアルキル基を表す）で表される化合物とおよそ
の化学量論的比率で反応させて、請求項３記載の混合物を得ることからなり、
反応１）ないし３）は有機溶媒中、無機塩基の存在下で行われるが、ただし反応３）において式（Ｆ）で表される化合物が適用される場合、該反応３）は無機塩基なしで行われる、請求項３記載の混合物の製造方法。
【請求項５】
光、熱または酸化により誘導される分解を受けやすい有機材料、および請求項１記載の式（Ｉ）で表される生成物を含有する組成物。
【請求項６】
組成物中に存在する式（Ｉ）で表される生成物の全体が１ないし１．７の多分散性
【数３】
1998195069.tif 000012
を有する請求項５記載の組成物。
【請求項７】
光、熱または酸化により誘導される分解を受けやすい有機材料、および請求項３記載の混合物を含有する組成物であって、該組成物中に存在する式（Ｉ）で表される化合物の全体が１．１ないし１．７の多分散性
【数４】
1998195069.tif 000013
を有する上記組成物。